(57)【要約】【課題】扉に穴が開けられても不正な解錠行為ができない施錠装置を提供する。【解決手段】本発明では、解錠位置及び施錠位置の両方の位置において施錠キーを抜き差し可能な２点抜き方式を採用する。そして、シリンダ錠のプラグを回転自在に支持するボディには、解錠位置に対応する位置及びこの位置を中心にして９０°互いに反対方向に９０°変位した位置の４個の位置に溝を形成する。そして、互いに対向する２個の溝には、施錠キーとキー結合して施錠キーの抜き差しを制御するボトムバーの変位を規制する係止部材を取り付けるための穴を設ける。このような構成により、ドアの取り付け方向に対応して係止部材を取り付けるだけで右吊りもと及び左吊りもとの両方に対応することができる。【選択図】        図４
2005016176.tif 000002
【特許請求の範囲】
【請求項１】
デットボルト駆動機構に連結されると共に回転軸線の回りで回転可能に支持され、デットボルトが突出した施錠位置及びデットボルトが退出した解錠位置にそれぞれ対応する第１の回転位置と第２の回転位置との間で回動する回転作動体と、一端に把手が結合され他端が回転作動体に連結されるシャフトを有し、前記回転作動体と機械的に連結した際回転作動体を前記第１の回転位置と第２の回転位置との間で回動させるサムターンと、施錠キーの回転操作により、前記回転作動体を前記第１の回転位置と第２の回転位置との間で回動させるシリンダ錠とを具え、
前記シリンダ錠は、前記回転作動体と選択的に連結して回転作動体に回転駆動力を伝達するテールピースと、回転軸線を有し、テールピースが固着されているプラグと、プラグを回動自在に支持するボディとを有し、
前記プラグは特定の施錠キーだけを挿入することができるキー穴を有すると共に、特定の施錠キーとだけ係合するタンブラーと、施錠キーとキー結合するボトムバーと、プラグの回転軸線と直交する円周方向に沿って前記ボトムバーをはさんで互いに対向するように位置し、当該プラグの回転を制御する２個のサイドバーとが装着され、
前記ボトムバー及びサイドバーは、前記プラグに対しその回転軸線と直交する方向に沿って移動可能に装着され、
前記ボディの内周面には、前記ボトムバー及び／又はサイドバーを回転軸線と直交する方向に変位させるための４個の溝が９０°の角度間隔で形成され、これら４個の溝のうちの第１の溝は前記回転作動体が占める第２の回転位置に対応し、第１の溝から９０°の角度間隔だけ離れた第２の溝は前記回転作動体が占める第１の回転位置に対応し、
前記ボディに形成した第２及びこの溝と回転軸線をはさんで対向する第３の溝には、ボトムバーの回転軸線と直交する方向の移動を規制するための係止部材を装着するための第１及び第２の穴がそれぞれ形成されていることを特徴とする施錠装置。
【請求項２】
請求項１に記載の施錠装置において、前記ボディの第２及び第３の溝に形成した穴を、内周面にネジ溝が形成されたネジ穴とし、当該ネジ穴に係止部材としてスクリューネジが螺着されることを特徴とする施錠装置。
【請求項３】
請求項１又は２に記載の施錠装置において、前記シリンダ錠に施錠キーを装着した場合、前記サイドバーがタンブラーに形成した嵌合溝と係合し、当該施錠キーを回転することにより前記プラグが回転軸線の回りで回転することを特徴とする施錠装置。
【請求項４】
請求項１、２又は３に記載の施錠装置において、前記施錠キーの一端側に前記ボトムバーとキー結合するキー山が形成され、ボトムバーが第１、第２又は第３の溝と対向する円周方向位置に存在する場合だけ、施錠キーをシリンダ錠に挿入でき及び挿入された施錠キーを抜き出すことができることを特徴とする施錠装置。
【請求項５】
請求項１から４までのいずれか１項に記載の施錠装置において、当該施錠装置が取り付けられる扉の取付方向に応じて前記第１又は第２の穴のいずれか一方の穴に係止部材が取り付けられることを特徴とする施錠装置。
【請求項６】
請求項５に記載の施錠装置において、前記第１又は第２の穴に係止部材が装着されている場合、ボトムバーが当該係止部材と対向する位置に位置した場合、ボトムバーの移動が係止部材により規制され、装着されている施錠キーを抜き出すことができないことを特徴とする施錠装置。
【請求項７】
請求項６に記載の施錠装置において、回転作動体が解錠位置である第２の位置に位置する場合に施錠キーをシリンダ錠に挿入し、当該施錠キーを回動操作して回転作動体を施錠位置である第１の位置まで回動させ、当該位置において施錠キーを抜き出すことができることを特徴とする施錠装置。
【請求項８】
請求項７に記載の施錠装置において、前記ボトムバーが第２又は第３の溝と対向する位置に存在するときに施錠キーが抜き出された場合、シリンダ錠がロック状態となり、前記サムターンを回動しようとしても回転作動体を回動させることができないことを特徴とする施錠装置。
【請求項９】
請求項８に記載の施錠装置において、前記第１及び第２の穴の両方の穴に係止部材が取り付けられ、施錠キーとしてボトムバーとキー結合するキー山が除去されたキーを用い、当該キーを用いて施錠し、施錠位置において当該キーを抜き出すことにより当該施錠装置をロックアウト状態とすることを特徴とする施錠装置。
【請求項１０】
施錠装置に取り付けられた際回転作動体と選択的に連結して回転作動体に回転駆動力を伝達するテールピースと、回転軸線を有し、テールピースが固着されているプラグと、プラグを回動自在に支持するボディとを具え、
前記プラグは特定の施錠キーだけを挿入することができるキー穴を有すると共に、特定の施錠キーとだけ係合するタンブラーと、施錠キーとキー結合するボトムバーと、プラグの回転軸線と直交する円周方向に沿って前記ボトムバーをはさんで互いに対向するように位置し、当該プラグの回転を制御する２個のサイドバーとが装着され、
前記ボトムバー及びサイドバーは、前記プラグに対しその回転軸線と直交する方向に沿って移動可能に装着され、
前記ボディの内周側には、円周方向に沿ってほぼ９０°の角度間隔で４個の溝が形成され、
前記ボディに形成した互いに対向する２つの溝には、係止部材を取り付けるための穴がそれぞれ形成され、
前記サイドバーは施錠キーを装着した場合だけ前記プラグとキー結合して施錠キーの回動に応じてプラグが回動し、当該シリンダ錠が施錠装置に装着された際、解錠位置及び施錠位置の両方の位置において施錠キーを挿入し及び抜き出すことがきることを特徴とするシリンダ錠。
【発明の詳細な説明】
【０００１】
【発明の属する技術分野】
本発明は、高い防犯性能を有する施錠装置、特にサムターン回しによる不正な解錠行為に対して高い防犯性能を有する施錠装置に関するものである。
【０００２】
【従来の技術】
従来、サムターン付きのシリンダ錠が広く用いられている。この形式の施錠装置では、扉等の開閉体にケースロックが内蔵され、ケースロックには屋外側に露出したシリンダ錠と屋内側に露出したサムターンとが連結されている。ケースロックには、デットボルトが進退自在に内蔵され、屋外側に露出したシリンダ錠に合鍵を挿入して回転操作することによりデットボルトが進退して施錠及び解錠が行われる。また、屋内側においては、サムターンを回転操作することにより施錠及び解錠が行われる。
【０００３】
近年、いわゆるバイパス解錠やサムターン回し等の不正な解錠行為による犯罪が多発しており、高い防犯性能の施錠装置の開発が強く要請されている。例えば、バイパス解錠による不正解錠を防止する方法として、特開２００３−５６２１８号公報に記載されている防犯方法が既知である。この防犯方法では、開閉自在なカバーを有し透明な素材の函体を用意し、この函体をサムターンを覆うように装着している。従って、針金等が差し込まれてもサムターンは函体により覆われているため、不正にサムターンが回転されることが防止されている（例えば、特許文献１参照）。また、不正な解錠を防止する別のサムターンとして、サムターン軸とサムターンとの間にクラッチ機構を介在させ、サムターンを圧接しなければサムターン軸が回転しないように構成したものが既知である（例えば、特許文献２参照）。
【０００４】
【特許文献１】
特開２００３−５６２１８号公報
【特許文献２】
特開２００３−５６２２０号公報
【０００５】
【発明が解決しようとする課題】
上述したサムターンカバーを設ける防犯方法は、針金等を用いてサムターンを回転させる不正なバイパス解錠に対しては有効である。しかしながら、工具を用いて扉に穴を開け、穴に手を挿入してサムターンを回転させる不正な解錠行為に対して有効な防犯対策にならない。同様に、サムターンにクラッチ機構を設け、サムターンを圧接して回転させる方法においても、扉に穴を開けられた場合、外部からサムターンを容易に回転することが可能である。すなわち、サムターンに改良を加える防犯方法には、防犯対策上限界がある。
【０００６】
扉や引き戸等の開閉体のシリンダ錠は、通常シリンダの１つの位置だけでキーを抜き取る方式が採用されている。この１点抜き仕様の施錠装置の場合、開閉体の右側又は左側のいずれの側に施錠装置を装着する場合でも単一の施錠装置をそのまま取り付けることができる。しかし、２点抜き仕様の施錠装置の場合、扉の右側又は左側に施錠装置を装着するかに応じて施錠装置の構成を変更する必要があり、２種類の施錠装置を用意しなければならない煩雑性が指摘されていた。すなわち、例えば玄関扉のように、開閉方向が右か左か定まっていない場合２種類の施錠装置を用意する必要があった。
【０００７】
従って、本発明の目的は、扉に穴が開けられても不正な解錠行為ができない施錠装置を提供することにある。
さらに、本発明の別の目的は、不正な解錠行為に対して高い防犯性を有すると共に扉の開閉方向が相違しても単一の施錠装置で対応できる施錠装置を提供することにある。
さらに、本発明の別の目的は、サムターン回しのような不正な解錠行為が防止される施錠装置に用いられるシリンダ錠を提供することにある。
【０００８】
【課題を解決する手段】
本発明による施錠装置は、デットボルト駆動機構に連結されると共に回転軸線の回りで回転可能に支持され、デットボルトが突出した施錠位置及びデットボルトが退出した解錠位置にそれぞれ対応する第１の回転位置と第２の回転位置との間で回動する回転作動体と、一端に把手が結合され他端が回転作動体に選択的に連結されるシャフトを有し、前記回転作動体と機械的に連結した際回転作動体を前記第１の回転位置と第２の回転位置との間で回動させるサムターンと、施錠キーの回転操作により、前記回転作動体を前記第１の回転位置と第２の回転位置との間で回動させるシリンダ錠とを具え、
前記シリンダ錠は、前記回転作動体と選択的に連結して回転作動体に回転駆動力を伝達するテールピースと、回転軸線を有し、テールピースが固着されているプラグと、プラグを回動自在に支持するボディとを有し、
前記プラグは特定の施錠キーだけを挿入することができるキー穴を有すると共に、特定の施錠キーとだけ係合するタンブラーと、施錠キーとキー結合するボトムバーと、プラグの回転軸線の円周方向に沿って前記ボトムバーをはさんで互いに対向するように位置し、当該プラグの回転を制御する２個のサイドバーとが装着され、
前記ボトムバー及びサイドバーは、前記プラグに対しその回転軸線と直交する方向に沿って移動可能に装着され、
前記ボディの内周面には、前記ボトムバー及び／又はサイドバーを回転軸線と直交する方向に変位させるための４個の溝が９０°の角度間隔で形成され、これら４個の溝のうちの第１の溝は前記回転作動体が占める第２の回転位置に対応し、第１の溝から９０°の角度間隔だけ離れた第２の溝は前記回転作動体が占める第１の回転位置に対応し、
前記ボディに形成した第２及びこの溝と回転軸線をはさんで対向する第３の溝には、ボトムバーの回転軸線と直交する方向の移動を規制するための係止部材を装着するための第１及び第２の穴がそれぞれ形成されていることを特徴とする。
【０００９】
本発明では、デットボルトの進退を制御する回転作動体が占める第１及び第２の位置の両方の位置において、すなわち解錠位置だけでなく施錠位置においても施錠キーをシリンダ錠から抜き出すことが可能である。この結果、例えば屋内に人間がいる場合には、従来どおりの使用方法（施錠されている場合、施錠キー及びサムターンの両方により）に基づいて解錠することができ、一方、屋内に人間が存在しない場合、例えば長期の旅行等により家を空ける場合、デットボルトが施錠位置に位置する状態で施錠キーを抜き出すことにより、サムターンを回しても解錠できず、バイパス解錠やサムターン回しのような不正な解錠行為に対する安全性を一層高めることができる。すなわち、本発明による施錠装置は、施錠キーによる解錠及びサムターンにより解錠できるロックモード、及びサムターンでは解錠できず施錠キーだけでしか解錠できない完全ロックモードの２つのロックモードを利用できるため、旅行等により長期間留守にする場合の防犯性を一層高いものとすることができる。
【００１０】
また、サイドバーが係合する２つの溝の両方に係止部材を取り付ける穴を設けているので、扉の取り付け方向に応じて対応する側の穴に係止部材を取り付けるだけですみ、右吊りもと用及び左吊りもと用の２種類の施錠装置を用意する必要性が解消される。
【００１１】
さらに、本発明の施錠装置は、既に設置された既存の施錠装置を活用する場合、ケースロック及びサムターンをそのまま利用しシリンダ錠を交換するだけでサムターン回し等の不正な解錠行為を防止できる利点が達成される。
【００１２】
本発明による施錠装置の好適実施例は、ボディの第２及び第３の溝に形成した穴を、内周面にネジ溝が形成されたネジ穴とし、当該ネジ穴に係止部材としてスクリューネジが螺着されることを特徴とする。このように、係止穴をネジ穴とすることにより、扉の取り付け現場において、扉の取り付け方向に応じて第１又は第２のいずれかの穴にスクリューを螺着するだけで右吊元及び左吊元の両方のドアに対応することができ、２種類のシリンダ錠を用意する必要性を解消することができる。
【００１３】
本発明による施錠装置の好適実施例は、第１及び第２の穴の両方の穴に係止部材が取り付けられ、施錠キーとしてボトムバーとキー結合するキー山が除去されたキーを用い、当該キーを用いて施錠し、施錠位置において当該キーを抜き出すことにより当該施錠装置をロックアウト状態とすることを特徴とする。
本発明によるシリンダ錠は、施錠キーの抜き差しの制御はボトムバーにより行われるため、ボトムバーとキー結合するキー山が除去されたキーを特別なキーとして用いることができる。すなわち、第１及び第２の穴にスクリューを取り付けることにより、正規の施錠キーは解錠位置だけでしかシリンダに装着することができない。一方、ボトムバーとの結合部が除去されたキーは解錠及び施錠位置の両方の位置で装着できるため、キー山が除去されたキーを用いて施錠し、施錠位置でキーを抜き出すことにより正規の施錠キーはもはや使用することができず、当該施錠装着をロックアウト状態に設定することができる。
【００１４】
【発明の実施形態】
図１は本発明による施錠装置の一例の構成を示す線図的断面図である。ドア１にケースロックが収納され、屋内側（図１の左側）にサムターンが取り付けられ、屋外側（図１の右側）にはシリンダ錠を設ける。ドア１の屋内側に、サムターンの支持本体として機能する中空状の本体２を固定する。本体２の内側空間内に、回転力の伝達を行うためのシャフト３を軸線に沿ってスライド可能及び回転可能に挿入する。シャフト３の一方の側にキャップ４及び把手５を結合する。
【００１５】
ドア１に埋め込まれた錠前ケース１１内に回転作動体１２が回転可能に支持され、回転作動体１２は、デットボルトを施錠位置及び解錠位置に進退させるデットボルト駆動機構（図示せず）に連結する。回転作動体１２のサムターンが配置されている側とは反対側にシリンダ１３のテールピース１３ａが位置し、施錠キーを操作することにより回転作動体１２が回動し、屋外側からデットボルトを進退させることができる。
【００１６】
図２ａはシャフト３の回転作動体１２と対向する側の形状を示し、図２ｂは回転作動体１２のシャフト３と対向する側の形状を示す。シャフト３の回転作動体と対向する側には、円周上に沿って等間隔で４個の係止突起３ａ〜３ｄを形成する。一方、回転作動体１２のシャフト３と対向する側には、図示の形状の嵌合穴１２ａを形成する。当該嵌合穴には、２個の係止突起１２ｂを形成する。シャフト３の先端は回転作動体の嵌合穴と係合し、シャフトの４個の係止突起３ａ〜３ｄと回転作動体の２個の係止突起１２ｂとが係合し、サムターンの回転力が回転作動体に伝達され、回転作動体の回転力はシリンダ側に伝達されることになる。従って、屋内側からサムターンを回転することにより、デットボルトを施錠位置及び解錠位置に進退させることができる。
【００１７】
次に、シリンダ錠について説明する。シリンダ錠は回転軸線Ｌを有すると共に、回転作動体と反対側すなわち屋外側から順に、施錠キーの挿入穴を有するプラグ２０、カバー２１、スプリング２２、スペーサリング２３、プラグを回転自在に支持するボディ２４、及びプラグに固定され回転作動体１２と選択的に連結するテールピース２５を有する。
【００１８】
プラグ２０は、軸線Ｌ方向に沿って延在し施錠キーを挿入させるためキー穴２０ａを有する。プラグ２０には、２列に設けたタンブラ２６を変位自在に装着する。キー穴２０ａに特定の施錠キーを挿入すると、タンブラ２６は軸線と直交する方向に変位し当該特定の施錠キーの挿入を許容する。プラグ２０には、タンブラ２６と対向するようにボトムバー２７が装着され、ボトムバーと９０°回転した位置に軸線Ｌをはさんで互いに対向する２個のサイドバー２８ａ及び２８ｂを装着する。ボトムバー２７は、軸線Ｌと直交する方向に変位可能に装着支持され、施錠キーとキー結合して施錠キーの挿脱を規制する機能及びプラグの回転を制御する機能を果たす。また、サイドバー２８ａ及び２８ｂも軸線と直交する方向に変位可能に装着支持され、プラグ２０の回転を制御する機能を有する。尚、サイドバーはコイルバネを介してプラグに装着されており、従って、軸線と直交する方向に移動することができる。
【００１９】
図４は、軸線Ｌと直交する面で切って示す断面図である。図４は、回転作動体が解錠位置にあり、シリンダ錠も解錠位置にあるものとする。図４において、プラグの施錠キー挿入穴２０ａに施錠キーは挿入されていない状態を示す。ボディ２４の内周面には、ボトムバー２７及びサイドバー２８の軸線と直交する方向の変位を許容するための４個の溝２４ａ〜２４ｄを９０°の角度間隔で形成する。これら４個の溝のうち、第１の溝２４ａは解錠位置において施錠キーの抜き差しを行うための溝であり、第２又は第３の溝２４ｂ又は２４ｃは施錠位置において施錠キーの抜き差しを行うための溝であり、第４の溝２４ｄは施錠位置においてサイドバーの軸線Ｌと直交する方向の変位を許容するための溝である。第２及び第３の溝２４ｂ及び２４ｃには、ボトムバーの軸線方向と直交する方向の変位を規制するための係止部材を固定するためのネジ穴２４ｅ及び２４ｆをそれぞれ形成する。これらの穴２４ｅ又は２４ｆのいずれかにスクリュー２９を螺着した場合（図４においては、穴２４ｅにスクリュー２９が螺着されている）、ボトムバーが当該溝と対向する位置に存在しても、ボトムバーは突出したスクリュー２９により規制され軸線方向と直交する方向に移動することができない。
【００２０】
図５は、施錠キー３０をプラグのキー挿入穴に装着した状態を示す。この解錠位置において、ボディ２４のボトムバー２７と対向する位置には溝２４ａが形成されているため、施錠キー３０を挿入しようとすると、施錠キーからの押圧力がボトムバー２７に対して作用し、この押圧力によりボトムバーがボディに形成した溝２４ａ方向に変位するため、施錠キー３０をプラグ内に装着することができる。同時に、施錠キーの装着に伴い、タンブラ２６が変位し、タンブラに設けた嵌合穴とサイドバー２８ａ及び２８ｂとが位置的に整合し、サイドバー２８がタンブラ２６の嵌合穴内に嵌め込まれる。この結果、サイドバー及びボトムバーは軸線Ｌを中心にする円周方向の移動が規制されず、施錠キー３０を軸線Ｌの回りで回動させると、プラグ並びにサイドバー及びボトムバーが回動することになる。
【００２１】
図６は、施錠キーを時計方向に４５°回動させた状態を示す。施錠キーの回動によりプラグ２０に固定したテールピース２５も回動する。テールピースは、デットボルト駆動機構に連結された回転作動体と連結しているため、施錠キーの回動に伴い回転作動体も回動する。
【００２２】
さらに、４５°回動させ、図５に示す解錠位置から時計方向に９０°回動すると、回転作動体の回動に伴いデットボルトが突出し施錠状態となる。図７は施錠位置におけるシリンダ錠の状態を示す。この状態において、施錠キー３０を引き抜こうとすると、施錠キーからボトムバー２７に軸線から外向きの力が作用する。一方、ボディ２４のボトムバー２７と対向する位置には溝２４ｂが存在するため、ボトムバー２７は軸線から離れる方向に変位することができる。同時に、２個のサイドバー２８ａ及び２８ｂと対向する位置にもそれぞれ溝２４ａ及び２４ｆが存在するため、サイドバーも軸線と直交する方向に変位することができる。この結果、当該施錠位置において施錠キーを引き抜くことができる。一方、施錠キー３０を抜き出した場合、サイドバー２８とタンブラ２６とのキー結合が解除されるため、もはやプラグは回動できず、従って、サムターンを回動して解錠しようとしてもシリンダ錠がロック状態にあるため、回転作動体を回転させることができない。この結果、施錠した状態で施錠キーを抜き出した場合、もはやサムターンを回動しようとしても回転作動体は回動せず、従って解錠することはできない。これにより、サムターン回し等の不正な解錠行為が有効に防止される。
【００２３】
次に、スクリュー２９の作用について説明する。図５に示す状態、すなわち解錠位置において、施錠キーをプラグに挿入して反時計方向に９０°回動することも可能である。この場合、ボトムバー２７がスクリュー２９と当接する。よって、この位置において施錠キーを抜き出そうとしても、ボトムバーが軸線Ｌと直交する方向に変位することができず、施錠キーを抜き出すことができない。これにより、不所望な位置での施錠キーの挿脱が防止される。
【００２４】
次に、施錠キーを回動した際のテールピースと回転作動体の状態について説明する。図８はサムターン側から回転作動体及びテールピースを見た場合の線図である。図８（ａ）は解錠位置における回転作動体１２とテールピース２５との位置関係を示す。この位置において施錠キーを装着し、時計方向に４５°回動させた状態を図８（ｂ）に示す。さらに、この位置から４５°回動すると図８（ｃ）の状態、すなわち施錠位置に移行する。この位置においては、デットボルトが突出し、施錠状態となる。この位置において、施錠キーを抜き出すと、テールピースは回動できず、サムターンを回動しようとしてもテールピースにより規制され、サムターンを回動することはできない。従って、この状態は、施錠キーでしか解錠できない完全ロックモードになる。
【００２５】
次に、施錠キーを反時計方向に４５°回動すると図８（ｄ）の位置に到達する。さらに、４５°だけ反時計方向に回動すると図８（ｅ）の位置に到達する。この位置においては、施錠キーを抜き出すことができる。また、回転作動体の反時計方向への回動は規制されていないため、施錠キーを抜き出した状態においてもサムターンを反時計方向に回動することにより回転作動体を解錠に移行させることができる。この位置では、施錠キー及びサムターンの両方により解錠することができる。
【００２６】
図８（ｅ）に示す施錠状態においてテールピースと回転作動体とは係合状態にあるため、この位置から、施錠キーを挿入して反時計方向に４５°回動すると、図８（ｆ）の状態に移行し、さらに４５°反時計方向に回動すると図８（ｇ）に示す解錠位置に移行する。この位置において施錠キーを抜き出すことはできない。
【００２７】
図９は本発明によるシリンダ錠の変形例を示す図である。図９ａに示すように、本例では、第１及び第２の穴２４ｅ及び２４ｆの両方に係止部材としてのスクリュー２９ａ及び２９ｂを装着する。この場合、施錠位置ではボトムバーの変位がスクリュー２９ｂにより規制されるため、施錠キーをシリンダに挿入することができない。図９ｂは、正規の施錠キー３０とボトムバー２７とのキー結合関係を示す。一方、図９ｃは、施錠キーとして、ボトムバーとキー結合するキー山を除去した施錠キーを示す。キー山が除去された施錠キーは、シリンダに挿入する際ボトムバー２７とキー結合することなく、すなわちボトムバーを変位させることなくシリンダ内に挿入することができる。また、抜き出す際もボトムバーとキー結合することなく抜き出すことができる。この結果、当該施錠装置の管理者又は所有者が正規の施錠キーとキー山が除去されたキーの２種類のキーを保持することにより、当該施錠装置をロックアウト状態にすることができる。
【００２８】
すなわち、例えば当該施錠装置が賃貸マンションの鍵として用いられる場合、例えば家賃が滞納された場合において当該マンションの管理者がキー山の除去されたキーを用いて施錠し、施錠位置において当該キーを抜き出した場合、使用者に貸し出された正規の施錠キーは当該施錠位置においてシリンダ内に挿入することができないため、もはや当該貸し出された施錠キーを用いることができず、施錠装置がロックアウトされることになる。一方、解錠が必要な場合、キー山が除去されたキーを用いることにより当該施錠装置を解錠することができる。このように、本発明による施錠装置は、施錠キーの抜き差しをボトムバーにより制御しているため、特殊な用途にも利用することができる利点が達成される。
【図面の簡単な説明】
【図１】本発明による施錠装置の全体構成を示す線図的断面図である。
【図２】シャフト及び回転作動体の係合部分を示す図である。
【図３】本発明によるシリンダ錠の分解斜視図である。
【図４】本発明によるシリンダ錠の構成を示す断面図である。
【図５】解錠位置において施錠キーを装着した状態を示す断面図である。
【図６】装着された施錠キーを時計方向に４５°回動させた状態を示す断面図である。
【図７】時計方向に９０°回動した状態を示す断面図である。
【図８】施錠キーの回動に伴う回転作動体とテールピースの位置を示す図である。
【図９】施錠装置をロックアウト状態に設定する構成を示す図である。
【符号の説明】
１  ドア
１１  錠前ケース
１２  回転作動体
１３  シリンダ錠
２０  プラグ
２４  ボディ
２５  テールピース
２６  タンブラ
２７  ボトムバー
２８  サイドバー
２９  スクリュー
３０  施錠キー
【図１】
2005016176.tif 000003
【図２】
2005016176.tif 000004
【図３】
2005016176.tif 000005
【図４】
2005016176.tif 000006
【図５】
2005016176.tif 000007
【図６】
2005016176.tif 000008
【図７】
2005016176.tif 000009
【図８】
2005016176.tif 000010
【図９】
2005016176.tif 000011